(57)【要約】【課題】車両の乗員に駐車位置を案内する際の利便性を向上させる。【解決手段】プログラムは、携帯端末１２のコンピュータに、読書部３１のアンテナ３１ａがＮＦＣタグ１１に翳されることによって読書部３１がＮＦＣタグ１１と無線通信を行なう際に、ＮＦＣタグ１１に記憶されている指令情報を読書部３１に取得させる動作と、読書部３１によって取得された指令情報が現在位置情報の取得を指示する場合に、現在位置の情報を現在位置情報取得部３４に取得させる動作と、現在位置情報取得部３４によって取得された現在位置の情報を記憶部３８に記憶させる動作と、を実行させる。【選択図】図１
2016181114.tif 000002
【特許請求の範囲】
【請求項１】
現在位置の情報を取得する現在位置情報取得部と、
前記現在位置情報取得部によって取得される前記現在位置の情報を記憶する記憶部と、
近距離無線通信デバイスに翳された際に前記近距離無線通信デバイスと無線通信を行う通信部と、
を備える携帯端末のコンピュータに、
前記通信部が前記近距離無線通信デバイスに翳されることによって前記通信部が前記近距離無線通信デバイスと無線通信を行なう際に、前記近距離無線通信デバイスに記憶されている指令情報を前記通信部に取得させる動作と、
前記通信部によって取得された前記指令情報が現在位置情報の取得を指示する場合に、前記現在位置の情報を前記現在位置情報取得部に取得させる動作と、
前記現在位置情報取得部によって取得された前記現在位置の情報を前記記憶部に記憶させる動作と、
を実行させる、
ことを特徴とするプログラム。
【請求項２】
前記携帯端末を携帯するユーザを、前記現在位置情報取得部によって取得される前記現在位置から、前記記憶部に記憶されている前記現在位置まで誘導する誘導部を備える前記携帯端末のコンピュータに、
前記通信部によって取得された前記指令情報が前記ユーザの位置誘導を指示する場合に、前記現在位置の情報を前記現在位置情報取得部に取得させる動作と、
前記現在位置情報取得部によって取得された前記現在位置から、前記記憶部に記憶されている前記現在位置まで、前記ユーザを前記誘導部により誘導させる動作と、
を実行させる、
ことを特徴とする請求項１に記載のプログラム。
【請求項３】
前記携帯端末の周囲を撮像する撮像部を備える前記携帯端末のコンピュータに、
前記通信部によって取得された前記指令情報が前記携帯端末の周辺の撮像を指示する場合に、前記携帯端末の周辺を前記撮像部に撮像させる動作と、
前記撮像部によって撮像された前記携帯端末の周辺の画像を前記記憶部に記憶させる動作と、
を実行させる、
ことを特徴とする請求項１または請求項２に記載のプログラム。
【請求項４】
タイマーを備える前記携帯端末のコンピュータに、
前記通信部によって取得された前記指令情報が駐車時間の測定を指示する場合に、前記タイマーに計時を開始させる動作、
を実行させる、
ことを特徴とする請求項１から請求項３の何れか１つに記載のプログラム。
【請求項５】
測位信号に基づいて現在位置の情報を取得する現在位置情報取得部と、
前記現在位置情報取得部によって取得される前記現在位置を地図上に表示する表示部と、
前記現在位置情報取得部によって取得される前記現在位置の情報を記憶する記憶部と、
近距離無線通信デバイスに翳された際に前記近距離無線通信デバイスと無線通信を行う通信部と、
ユーザを、前記現在位置情報取得部によって取得される前記現在位置から、前記記憶部に記憶されている前記現在位置まで誘導する誘導部と、
を備える携帯端末のコンピュータに、
前記通信部が前記近距離無線通信デバイスに翳されることによって前記通信部が前記近距離無線通信デバイスと無線通信を行なう際に、前記近距離無線通信デバイスに記憶されている指令情報を前記通信部に取得させる動作と、
前記通信部によって取得された前記指令情報が現在位置情報の取得を指示する場合に、前記現在位置情報を前記現在位置情報取得部に取得させるとともに、前記現在位置情報取得部によって取得された前記現在位置を前記表示部により地図上に表示させ、前記現在位置情報取得部によって取得された前記現在位置の情報を前記記憶部に記憶させる動作と、
前記通信部によって取得された前記指令情報が前記ユーザの誘導を指示する場合に、前記現在位置の情報を前記現在位置情報取得部に取得させるとともに、前記現在位置情報取得部によって取得された前記現在位置から、前記記憶部に記憶されている前記現在位置まで、前記ユーザを前記誘導部により誘導させる動作と、
を実行させる、
ことを特徴とするプログラム。
【請求項６】
前記携帯端末のコンピュータに、
前記通信部が前記近距離無線通信デバイスに翳されることによって前記通信部が前記近距離無線通信デバイスと無線通信を行なう際に、前記近距離無線通信デバイスに前記指令情報を記憶させる動作、
を実行させる、
ことを特徴とする請求項１から請求項５の何れか１つに記載のプログラム。
【請求項７】
現在位置情報を取得する現在位置情報取得部と、
前記現在位置情報取得部によって取得される前記現在位置情報を記憶する記憶部と、
近距離無線通信デバイスに翳された際に前記近距離無線通信デバイスと無線通信を行う通信部と、
を備える携帯端末が実行する位置案内方法であって、
前記通信部が、前記近距離無線通信デバイスに翳されることによって前記近距離無線通信デバイスと無線通信を行なう際に、前記近距離無線通信デバイスに記憶されている指令情報を取得するステップと、
前記現在位置情報取得部が、前記通信部によって取得された前記指令情報が現在位置情報の取得を指示する場合に、前記現在位置情報を取得するステップと、
記憶部が、前記現在位置情報取得部によって取得された前記現在位置情報を記憶するステップと、
を含む、
ことを特徴とする位置案内方法。
【請求項８】
携帯端末の通信部が翳された際に前記通信部と無線通信を行うデバイス通信部と、
前記通信部が前記デバイス通信部に翳されることによって前記通信部が前記デバイス通信部と無線通信を行なう際に前記通信部によって取得される指令情報を記憶するデバイス記憶部と、
を備え、
前記指令情報は、
現在位置の情報の取得および前記現在位置の情報の記憶を前記携帯端末に指示する、
ことを特徴とする近距離無線通信デバイス。
【請求項９】
前記指令情報は、
前記携帯端末の周辺の撮像および前記携帯端末の周辺画像の記憶を前記携帯端末に指示する、
ことを特徴とする請求項８に記載の近距離無線通信デバイス。
【請求項１０】
前記指令情報は、
駐車時間の測定を前記携帯端末に指示する、
ことを特徴とする請求項８または請求項９に記載の近距離無線通信デバイス。
【請求項１１】
携帯端末の通信部が翳された際に前記通信部と無線通信を行うデバイス通信部と、
前記通信部が前記デバイス通信部に翳されることによって前記通信部が前記デバイス通信部と無線通信を行なう際に前記通信部によって取得される指令情報を記憶するデバイス記憶部と、
を備え、
前記指令情報は、
前記携帯端末を所持するユーザを、前記携帯端末が記憶している前記携帯端末の過去位置まで誘導することを前記携帯端末に指示する、
ことを特徴とする近距離無線通信デバイス。
【請求項１２】
前記デバイス通信部および前記デバイス記憶部は、
電磁誘導、電波、電磁結合、および静電結合の何れかによって前記通信部と非接触通信を行うＲＦタグを構成する、
ことを特徴とする請求項８から請求項１１の何れか１つに記載の近距離無線通信デバイス。
【請求項１３】
形状が、任意の部位に貼付け可能なシート状に形成されている、
ことを特徴とする請求項８から請求項１２の何れか１つに記載の近距離無線通信デバイス。
【発明の詳細な説明】
【技術分野】
【０００１】
この発明は、プログラム、位置案内方法、および近距離無線通信デバイスに関する。
【背景技術】
【０００２】
従来、車両の乗員が所持する携帯端末と車載端末とが通信接続される状態で、乗員が車両から降車するなどの際に携帯端末と車載機器との通信接続が切断されると、携帯端末が車両の位置情報を取得するシステムが知られている（例えば、特許文献１参照）。このシステムにおいて携帯端末は、取得した車両の位置情報の精度が高くない場合に、携帯端末が備えるカメラによって車両周辺の画像を撮像するように乗員に報知する。携帯端末は、カメラによって撮像される車両周辺の画像を記憶する。携帯端末は、乗員が車両に戻るなどの際に、車両周辺の画像の表示が要求されると、記憶している画像を表示画面上に表示する。
【先行技術文献】
【特許文献】
【０００３】
【特許文献１】特許第５５４８５４２号公報
【発明の概要】
【発明が解決しようとする課題】
【０００４】
ところで、上記従来技術に係るシステムによれば、予め携帯端末と車載端末との間で有線または無線による通信接続を確立しておく必要がある。これに伴い携帯端末および車載端末は、相互に通信可能な通信インターフェースを備える必要があるとともに、相互の認証などの処理（ペアリング）を完了している必要がある。
携帯端末および車載端末に新たに特別な通信インターフェースを備える場合には、構成に要する費用が嵩むとともに、構成が複雑になるという問題が生じる。また、予め、携帯端末および車載端末の相互においてペアリングが必要になる場合には、煩雑な手間が嵩むという問題が生じる。また、車両周辺の撮影の勧めに応じて乗員が携帯端末を操作する場合には、カメラの起動および画像の記憶などに複数の操作を要し、煩雑な手間が嵩むという問題が生じる。
【０００５】
本発明は上記事情に鑑みてなされたもので、車両の乗員に駐車位置を案内する際の利便性を向上させることが可能なプログラム、位置案内方法、および近距離無線通信デバイスを提供することを目的としている。
【課題を解決するための手段】
【０００６】
上記課題を解決して係る目的を達成するために、本発明は以下の態様を採用した。
（１）本発明の一態様に係るプログラムは、現在位置の情報を取得する現在位置情報取得部（例えば、実施形態での現在位置情報取得部３４）と、前記現在位置情報取得部によって取得される前記現在位置の情報を記憶する記憶部（例えば、実施形態での記憶部３８）と、近距離無線通信デバイス（例えば、実施形態でのＮＦＣタグ１１）に翳された際に前記近距離無線通信デバイスと無線通信を行う通信部（例えば、実施形態での読書部３１のアンテナ３１ａ）と、を備える携帯端末（例えば、実施形態での携帯端末１２）のコンピュータに、前記通信部が前記近距離無線通信デバイスに翳されることによって前記通信部が前記近距離無線通信デバイスと無線通信を行なう際に、前記近距離無線通信デバイスに記憶されている指令情報を前記通信部に取得させる動作と、前記通信部によって取得された前記指令情報が現在位置情報の取得を指示する場合に、前記現在位置の情報を前記現在位置情報取得部に取得させる動作と、前記現在位置情報取得部によって取得された前記現在位置の情報を前記記憶部に記憶させる動作と、を実行させる。
【０００７】
（２）上記（１）に記載のプログラムでは、前記携帯端末を携帯するユーザを、前記現在位置情報取得部によって取得される前記現在位置から、前記記憶部に記憶されている前記現在位置まで誘導する誘導部（例えば、実施形態での制御部３７、スピーカ３２、およびタッチパネル３３）を備える前記携帯端末のコンピュータに、前記通信部によって取得された前記指令情報が前記ユーザの位置誘導を指示する場合に、前記現在位置の情報を前記現在位置情報取得部に取得させる動作と、前記現在位置情報取得部によって取得された前記現在位置から、前記記憶部に記憶されている前記現在位置まで、前記ユーザを前記誘導部により誘導させる動作と、を実行させてもよい。
【０００８】
（３）上記（１）または（２）に記載のプログラムでは、前記携帯端末の周囲を撮像する撮像部（例えば、実施形態でのカメラ３５）を備える前記携帯端末のコンピュータに、前記通信部によって取得された前記指令情報が前記携帯端末の周辺の撮像を指示する場合に、前記携帯端末の周辺を前記撮像部に撮像させる動作と、前記撮像部によって撮像された前記携帯端末の周辺の画像を前記記憶部に記憶させる動作と、を実行させてもよい。
【０００９】
（４）上記（１）から（３）の何れか１つに記載のプログラムでは、タイマー（例えば、実施形態でのタイマー３６）を備える前記携帯端末のコンピュータに、前記通信部によって取得された前記指令情報が駐車時間の測定を指示する場合に、前記タイマーに計時を開始させる動作、を実行させしてもよい。
【００１０】
（５）本発明の一態様に係るプログラムは、測位信号に基づいて現在位置の情報を取得する現在位置情報取得部（例えば、実施形態での現在位置情報取得部３４）と、前記現在位置情報取得部によって取得される前記現在位置を地図上に表示する表示部（例えば、実施形態でのタッチパネル３３）と、前記現在位置情報取得部によって取得される前記現在位置の情報を記憶する記憶部（例えば、実施形態での記憶部３８）と、近距離無線通信デバイス（例えば、実施形態でのＮＦＣタグ１１）に翳された際に前記近距離無線通信デバイスと無線通信を行う通信部（例えば、実施形態での読書部３１のアンテナ３１ａ）と、ユーザを、前記現在位置情報取得部によって取得される前記現在位置から、前記記憶部に記憶されている前記現在位置まで誘導する誘導部（例えば、実施形態での制御部３７、スピーカ３２、およびタッチパネル３３）と、を備える携帯端末（例えば、実施形態での携帯端末１２）のコンピュータに、前記通信部が前記近距離無線通信デバイスに翳されることによって前記通信部が前記近距離無線通信デバイスと無線通信を行なう際に、前記近距離無線通信デバイスに記憶されている指令情報を前記通信部に取得させる動作と、前記通信部によって取得された前記指令情報が現在位置情報の取得を指示する場合に、前記現在位置情報を前記現在位置情報取得部に取得させるとともに、前記現在位置情報取得部によって取得された前記現在位置を前記表示部により地図上に表示させ、前記現在位置情報取得部によって取得された前記現在位置の情報を前記記憶部に記憶させる動作と、前記通信部によって取得された前記指令情報が前記ユーザの誘導を指示する場合に、前記現在位置の情報を前記現在位置情報取得部に取得させるとともに、前記現在位置情報取得部によって取得された前記現在位置から、前記記憶部に記憶されている前記現在位置まで、前記ユーザを前記誘導部により誘導させる動作と、を実行させる。
【００１１】
（６）上記（１）から（５）の何れか１つに記載のプログラムでは、前記携帯端末のコンピュータに、前記通信部が前記近距離無線通信デバイスに翳されることによって前記通信部が前記近距離無線通信デバイスと無線通信を行なう際に、前記近距離無線通信デバイスに前記指令情報を記憶させる動作、を実行させてもよい。
【００１２】
（７）本発明の一態様に係る位置案内方法は、現在位置情報を取得する現在位置情報取得部（例えば、実施形態での現在位置情報取得部３４）と、前記現在位置情報取得部によって取得される前記現在位置情報を記憶する記憶部（例えば、実施形態での記憶部３８）と、近距離無線通信デバイス（例えば、実施形態でのＮＦＣタグ１１）に翳された際に前記近距離無線通信デバイスと無線通信を行う通信部（例えば、実施形態での読書部３１のアンテナ３１ａ）と、を備える携帯端末が実行する位置案内方法であって、前記通信部が、前記近距離無線通信デバイスに翳されることによって前記近距離無線通信デバイスと無線通信を行なう際に、前記近距離無線通信デバイスに記憶されている指令情報を取得するステップと、前記現在位置情報取得部が、前記通信部によって取得された前記指令情報が現在位置情報の取得を指示する場合に、前記現在位置情報を取得するステップと、記憶部が、前記現在位置情報取得部によって取得された前記現在位置情報を記憶するステップと、を含む。
【００１３】
（８）本発明の一態様に係る近距離無線通信デバイスは、携帯端末（例えば、実施形態での携帯端末１２）の通信部（例えば、実施形態での読書部３１のアンテナ３１ａ）が翳された際に前記通信部と無線通信を行うデバイス通信部（例えば、実施形態でのタグ通信部２１およびアンテナ２１ａ）と、前記通信部が前記デバイス通信部に翳されることによって前記通信部が前記デバイス通信部と無線通信を行なう際に前記通信部によって取得される指令情報を記憶するデバイス記憶部（例えば、実施形態でのタグ記憶部２３）と、を備え、前記指令情報は、現在位置の情報の取得および前記現在位置の情報の記憶を前記携帯端末に指示する。
【００１４】
（９）上記（８）に記載の近距離無線通信デバイスでは、前記指令情報は、前記携帯端末の周辺の撮像および前記携帯端末の周辺画像の記憶を前記携帯端末に指示してもよい。
【００１５】
（１０）上記（８）または（９）に記載の近距離無線通信デバイスでは、前記指令情報は、駐車時間の測定を前記携帯端末に指示してもよい。
【００１６】
（１１）本発明の一態様に係る近距離無線通信デバイスは、携帯端末（例えば、実施形態での携帯端末１２）の通信部（例えば、実施形態での読書部３１のアンテナ３１ａ）が翳された際に前記通信部と無線通信を行うデバイス通信部（例えば、実施形態でのタグ通信部２１およびアンテナ２１ａ）と、前記通信部が前記デバイス通信部に翳されることによって前記通信部が前記デバイス通信部と無線通信を行なう際に前記通信部によって取得される指令情報を記憶するデバイス記憶部（例えば、実施形態でのタグ記憶部２３）と、を備え、前記指令情報は、前記携帯端末を所持するユーザを、前記携帯端末が記憶している前記携帯端末の過去位置まで誘導することを前記携帯端末に指示してもよい。
【００１７】
（１２）上記（８）から（１１）の何れか１つに記載の近距離無線通信デバイスでは、前記デバイス通信部および前記デバイス記憶部は、電磁誘導、電波、電磁結合、および静電結合の何れかによって前記通信部と非接触通信を行うＲＦタグを構成してもよい。
【００１８】
（１３）上記（８）から（１２）の何れか１つに記載の近距離無線通信デバイスでは、形状が、任意の部位に貼付け可能なシート状に形成されてもよい。
【発明の効果】
【００１９】
上記（１）に記載の態様に係るプログラムによれば、近距離無線通信デバイスに携帯端末を翳すだけの１つの動作によって、現在位置の情報の記憶に要する複数の動作を自動的に実行することができ、ユーザに位置を案内する際の利便性を向上させることができる。
【００２０】
さらに、上記（２）の場合、近距離無線通信デバイスに携帯端末を翳すだけの１つの動作によって、ユーザの位置誘導に要する複数の動作を自動的に実行することができ、ユーザに位置を案内する際の利便性を向上させることができる。
【００２１】
さらに、上記（３）の場合、近距離無線通信デバイスに携帯端末を翳すだけの１つの動作によって、携帯端末の周辺の撮像に要する複数の動作（撮像部の起動など）を自動的に実行することができ、ユーザに位置を案内する際の利便性を向上させることができる。
【００２２】
さらに、上記（４）の場合、近距離無線通信デバイスに携帯端末を翳すだけの１つの動作によって、タイマーの計時を自動的に開始することができ、ユーザが車両から離れた状態であっても駐車時間を確認することができ、利便性を向上させることができる。
【００２３】
さらに、上記（５）の場合、近距離無線通信デバイスに携帯端末を翳すだけの１つの動作によって、画面操作等の煩雑な手間を必要とせずに、現在位置の情報の記憶に要する複数の動作を自動的に実行することができ、利便性を向上させることができる。さらに、近距離無線通信デバイスに携帯端末を翳すだけの１つの動作によって、画面操作等の煩雑な手間を必要とせずに、ユーザの位置誘導に要する複数の動作を自動的に実行することができ、ユーザに位置を案内する際の利便性を向上させることができる。
【００２４】
さらに、上記（６）の場合、適宜の指令情報を近距離無線通信デバイスに記憶させることによって、携帯端末の動作を任意に制御することができ、利便性を向上させることができる。
【００２５】
上記（７）に記載の態様に係る位置案内方法によれば、近距離無線通信デバイスに携帯端末を翳すだけの１つの動作によって、現在位置の情報の記憶に要する複数の動作を自動的に実行することができ、ユーザに位置を案内する際の利便性を向上させることができる。
【００２６】
上記（８）に記載の態様に係る近距離無線通信デバイスによれば、近距離無線通信デバイスに携帯端末を翳すだけの１つの動作によって、現在位置の情報の記憶に要する複数の動作を自動的に実行することができ、利便性を向上させることができる。
【００２７】
さらに、上記（９）の場合、近距離無線通信デバイスに携帯端末を翳すだけの１つの動作によって、携帯端末の周辺の撮像に要する複数の動作（撮像部の起動など）を自動的に実行することができ、利便性を向上させることができる。
【００２８】
さらに、上記（１０）の場合、近距離無線通信デバイスに携帯端末を翳すだけの１つの動作によって、タイマーの計時を自動的に開始することができ、車両から離れた状態であっても駐車時間を確認することができ、利便性を向上させることができる。
【００２９】
上記（１１）に記載の態様に係る近距離無線通信デバイスによれば、近距離無線通信デバイスに携帯端末を翳すだけの１つの動作によって、ユーザの位置誘導に要する複数の動作を自動的に実行することができ、利便性を向上させることができる。
【００３０】
さらに、上記（１２）または（１３）の場合、近距離無線通信デバイスが車両のドアライニングなどに配置されることによって、ユーザの車両降車時などにおいて現在位置の情報を記憶する際に、携帯端末を近距離無線通信デバイスに容易に翳すことができる。また、近距離無線通信デバイスがユーザの携帯する物品などに配置されることによって、記憶している位置の情報を用いた位置誘導を行なう際に、携帯端末を近距離無線通信デバイスに容易に翳すことができる。
【図面の簡単な説明】
【００３１】
【図１】本発明の実施形態に係る位置案内システムの構成図である。
【図２】本発明の実施形態に係るＮＦＣタグおよび携帯端末を示す斜視図である。
【図３】本発明の実施形態に係る携帯端末の設定画面およびタグ書込画面の例を示す図である。
【図４】本発明の実施形態に係る携帯端末の動作例を示すフローチャートである。
【図５】本発明の実施形態に係る携帯端末の動作例を示すフローチャートである。
【図６】本発明の実施形態に係る携帯端末の位置登録画面、撮像実行画面、および画像登録確認画面の例を示す図である。
【図７】本発明の実施形態に係る携帯端末の動作例を示すフローチャートである。
【図８】本発明の実施形態に係る携帯端末の位置案内画面、およびコンパス画面の例を示す図である。
【図９】本発明の実施形態に係る携帯端末の位置登録画面、履歴表示画面、および履歴詳細画面の例を示す図である。
【図１０】本発明の実施形態に係る携帯端末の位置登録画面、お気に入り画面、およびお気に入り詳細画面の例を示す図である。
【発明を実施するための形態】
【００３２】
以下、本発明の一実施形態に係るプログラム、位置案内方法、および近距離無線通信デバイスについて添付図面を参照しながら説明する。
【００３３】
実施形態の位置案内システム１０は、図１に示すように、複数のＮＦＣタグ１１と、少なくとも１つ以上の携帯端末１２とを備える。
複数のＮＦＣタグ１１は、少なくとも２種類の位置登録用タグ１１Ａ（１１）および位置案内用タグ１１Ｂ（１１）を備える。２種類の位置登録用タグ１１Ａ（１１）および位置案内用タグ１１Ｂ（１１）は、同一の構成を備えるとともに、後述するように相互に異なる指令情報を記憶している。
【００３４】
ＮＦＣ（Near Field Communication）タグ１１は、所定の通信規格に対応した近接型のＲＦ（Radio Frequency）タグである。ＲＦタグは、例えば、電磁誘導、電波、電磁結合、および静電結合などによってリーダー・ライターと非接触で通信を行い、リーダー・ライターによって情報の読み書きが行われる。ＲＦタグは、例えば、アンテナおよびＩＣチップなどを備えて構成されている。
【００３５】
ＮＦＣタグ１１の形状は、任意の部位に貼付け可能なシート状に形成されている。位置登録用タグ１１Ａ（１１）は、図２に示すように、車両のドアライニングなどの車両の各部に貼り付けられる。位置案内用タグ１１Ｂ（１１）は、携帯端末１２を所持するユーザが普段携帯する物品などに貼り付けられる。ユーザが普段携帯する物品は、例えば、財布、およびキーホルダーなどである。
【００３６】
ＮＦＣタグ１１は、タグ通信部２１、タグ制御部２２、およびタグ記憶部２３を備える。
タグ通信部２１は、アンテナ２１ａおよび信号処理回路などを備える。タグ通信部２１は、アンテナ２１ａに携帯端末１２の読書部３１のアンテナ３１ａが翳された際に携帯端末１２の読書部３１と無線通信を行う。
タグ制御部２２は、タグ通信部２１の信号処理、およびタグ記憶部２３に対する各種情報の読み書きなどを制御する。
【００３７】
タグ記憶部２３は、携帯端末１２に所定動作の実行を指示する指令情報を記憶している。位置登録用タグ１１Ａ（１１）のタグ記憶部２３は、携帯端末１２の現在位置情報の取得、駐車時間の測定、および携帯端末１２の周辺の撮像などを携帯端末１２に指示する指令情報を記憶している。位置案内用タグ１１Ｂ（１１）は、携帯端末１２を所持するユーザを、携帯端末１２が記憶している携帯端末１２の過去位置まで誘導することを携帯端末１２に指示する指令情報を記憶している。携帯端末１２の過去位置は、過去に位置登録用タグ１１Ａ（１１）からの指令情報に応じて携帯端末１２が記憶した現在位置などである。
【００３８】
携帯端末１２は、車両の乗員が携帯する携帯情報端末、携帯電話端末、およびスマートフォンなどの携帯型電子機器である。携帯端末１２は、読書部３１、スピーカ３２、タッチパネル３３、現在位置情報取得部３４、カメラ３５、タイマー３６、制御部３７、および記憶部３８を備える。
読書部３１は、アンテナ３１ａから所定の通信範囲内に位置するアンテナ２１ａを有するＮＦＣタグ１１に対して非接触通信によって情報の読み取り、および書き込みを行なう。読書部３１は、磁界を発生させることによって、ＮＦＣタグ１１が内蔵する回路に電圧を印加し、この回路の動作によって無線通信を介して、ＮＦＣタグ１１のタグ記憶部２３に対する情報の読み書きを行なう。読書部３１は、ＮＦＣタグ１１のタグ記憶部２３から読み取った情報を制御部３７に出力する。読書部３１は、制御部３７から取得した情報を、ＮＦＣタグ１１のタグ記憶部２３に書き込む（記憶させる）。
【００３９】
スピーカ３２は、制御部３７からの信号に応じて、記憶部３８が記憶している各種の音声または信号音のデータを再生出力する。
タッチパネル３３は、制御部３７からの信号に応じて、記憶部３８が記憶している地図データなどの各種のデータを表示する。タッチパネル３３は、制御部３７または記憶部３８が記憶している各種のプログラム（アプリケーションプログラムなど）の実行に係る所定画面を表示する。タッチパネル３３は、携帯端末１２の状態の表示、並びに携帯端末１２の機能を操作するための操作画面および設定画面などを表示する。タッチパネル３３は、操作画面または設定画面に入力されるユーザの手指による接触操作を受け付けて、携帯端末１２の動作を指示する指令信号を出力する。
【００４０】
現在位置情報取得部３４は、人工衛星からの測位信号に基づいて携帯端末１２の位置（現在位置）を検出する。現在位置情報取得部３４は、測位システム（例えば、Global Positioning System：ＧＰＳまたはGlobal Navigation Satellite System：ＧＮＳＳなど）の人工衛星から測位信号を受信するアンテナを備える。現在位置情報取得部３４は、アンテナによって受信された測位信号を用いて携帯端末１２の現在位置を検出し、携帯端末１２の現在位置の情報を制御部３７に出力する。
【００４１】
カメラ３５は、制御部３７からの信号に応じて、携帯端末１２の周辺を撮像する。カメラ３５は、撮像によって得られる携帯端末１２の周辺画像のデータを制御部３７に出力する。
タイマー３６は、制御部３７からの信号に応じて、計時の開始および停止を行う。
【００４２】
制御部３７は、携帯端末１２の動作を統括的に制御する。制御部３７は、ＣＰＵなどのプロセッサ、プログラムを格納するＲＯＭ、およびデータを一時的に記憶するＲＡＭなどを備えている。
記憶部３８は、各種のデータを記憶している。記憶部３８は、例えば、タッチパネル３３に表示される地図データなどの各種のデータを記憶している。記憶部３８は、例えば、読書部３１によってＮＦＣタグ１１のタグ記憶部２３に書き込まれる位置登録用の指令情報および位置案内用の指令情報を記憶している。
制御部３７および記憶部３８の少なくとも何れかは、各種のプログラムを記憶している。制御部３７または記憶部３８は、携帯端末１２の状態の表示、並びに携帯端末１２の機能を操作するための操作画面および設定画面などをタッチパネル３３に表示するためのアプリケーションプログラムを記憶している。
【００４３】
制御部３７は、制御部３７または記憶部３８に記憶されている所定の位置案内用アプリケーションプログラムの実行によって、位置登録用タグ１１Ａ（１１）および位置案内用タグ１１Ｂ（１１）を作成する。制御部３７は、位置登録用の指令情報を読書部３１によってＮＦＣタグ１１のタグ記憶部２３に書き込むことによって位置登録用タグ１１Ａ（１１）を作成する。制御部３７は、位置案内用の指令情報を読書部３１によってＮＦＣタグ１１のタグ記憶部２３に書き込むことによって位置案内用タグ１１Ｂ（１１）を作成する。制御部３７は、読書部３１のアンテナ３１ａがＮＦＣタグ１１のアンテナ２１ａに翳されることによって読書部３１がタグ通信部２１と無線通信を行なう際に、位置登録用の指令情報または位置案内用の指令情報をタグ記憶部２３に書き込む。
【００４４】
制御部３７は、読書部３１のアンテナ３１ａが位置登録用タグ１１Ａ（１１）のアンテナ２１ａに翳されることによって読書部３１がタグ通信部２１と無線通信を行なう際に、タグ記憶部２３に記憶されている位置登録用の指令情報を読書部３１に読み込ませる。制御部３７は、読書部３１によって取得された位置登録用の指令情報に応じて、所定の位置案内用アプリケーションプログラムを起動して、携帯端末１２の動作を制御する。位置登録用の指令情報は、携帯端末１２の現在位置情報の取得、駐車時間の測定、および携帯端末１２の周辺の撮像などを指示する指令情報である。制御部３７は、携帯端末１２の現在位置情報の取得の指示に応じて、現在位置情報取得部３４に現在位置の情報を取得させる。制御部３７は、現在位置情報取得部３４によって取得された現在位置の情報を記憶部３８に記憶させる。制御部３７は、現在位置情報取得部３４によって取得された現在位置の周辺の地図データをタッチパネル３３に表示し、地図データ上に現在位置を表示する。制御部３７は、駐車時間の測定の指示に応じて、タイマー３６に計時を開始させる。制御部３７は、タイマー３６の計時開始時刻の情報を記憶部３８に記憶させる。制御部３７は、携帯端末１２の周辺の撮像の指示に応じて、カメラ３５を起動する。制御部３７は、ユーザのカメラ３５に対する操作によって、撮像により得られた携帯端末１２の周辺画像の登録が指示されると、携帯端末１２の周辺画像を記憶部３８に記憶させる。
【００４５】
制御部３７は、読書部３１のアンテナ３１ａが位置案内用タグ１１Ｂ（１１）のアンテナ２１ａに翳されることによって読書部３１がタグ通信部２１と無線通信を行なう際に、タグ記憶部２３に記憶されている位置案内用の指令情報を読書部３１に読み込ませる。制御部３７は、読書部３１によって取得された位置案内用の指令情報に応じて、所定の位置案内用アプリケーションプログラムを起動して、携帯端末１２の動作を制御する。制御部３７は、現在位置情報取得部３４に携帯端末１２の現在位置の情報を取得させる。制御部３７は、スピーカ３２およびタッチパネル３３からの出力などを制御して、携帯端末１２を所持するユーザを、現在位置情報取得部３４によって取得された現在位置から、記憶部３８が記憶している携帯端末１２の記憶位置まで誘導する。携帯端末１２の記憶位置は、携帯端末１２の過去位置であり、過去に位置登録用タグ１１Ａ（１１）からの位置登録用の指令情報に応じて、制御部３７が記憶部３８に記憶させた携帯端末１２の過去の時点での現在位置である。
【００４６】
実施形態による位置案内システム１０は上記構成を備えており、次に、この位置案内システム１０の動作の一例について説明する。
【００４７】
以下に、携帯端末１２が位置登録用タグ１１Ａ（１１）および位置案内用タグ１１Ｂ（１１）を作成する動作について説明する。
携帯端末１２に対するユーザの操作によって所定の位置案内用アプリケーションプログラムの実行および所定の設定画面の表示が指示されると、制御部３７はタッチパネル３３に所定の設定画面３３ａを表示させる。タッチパネル３３に表示される設定画面３３ａは、図３に示すように、位置登録用タグ１１Ａ（１１）および位置案内用タグ１１Ｂ（１１）の各々の作成を指示する操作ボタン画像４１，４２を備えている。設定画面３３ａにおいて各操作ボタン画像４１，４２がユーザの手指によって接触操作されると、制御部３７は、所定の設定画面３３ａをタグ書込画面３３ｂに切り替える。タグ書込画面３３ｂは、携帯端末１２の読書部３１のアンテナ３１ａをＮＦＣタグ１１のアンテナ２１ａに翳すことを指示する画像を備えている。制御部３７は、携帯端末１２のアンテナ３１ａがＮＦＣタグ１１に翳されることで読書部３１がタグ通信部２１と無線通信を行なう際に、ユーザが操作した操作ボタン画像４１，４２に応じて、位置登録用または位置案内用の指令情報をタグ記憶部２３に書き込む。
設定画面３３ａは、タイマー３６によって計時される駐車時間に対するアラームの実行要否、アラーム音の選択、およびアラーム時間などを設定するための各メニュー項目を備えている。
【００４８】
以下に、携帯端末１２が位置登録用タグ１１Ａ（１１）または位置案内用タグ１１Ｂ（１１）に翳された場合の動作について説明する。
【００４９】
図４に示すように、先ず、携帯端末１２の制御部３７は、読書部３１のアンテナ３１ａがＮＦＣタグ１１のアンテナ２１ａに翳されることによって読書部３１がタグ通信部２１と無線通信を開始したか否かを判定する（ステップＳ０１）。
この判定結果が「ＮＯ」の場合（ステップＳ０１：ＮＯ）には、制御部３７は、ステップＳ０１の判定処理を繰り返す。
一方、この判定結果が「ＹＥＳ」の場合（ステップＳ０１：ＹＥＳ）には、制御部３７は、処理をステップＳ０２に進める。
【００５０】
次に、制御部３７は、ＮＦＣタグ１１のタグ記憶部２３に記憶されている指令情報を読み込むことを読書部３１に指示する（ステップＳ０２）。
次に、制御部３７は、読書部３１によって指令情報が取得されたか否かを判定する（ステップＳ０３）。
この判定結果が「ＮＯ」の場合（ステップＳ０３：ＮＯ）には、制御部３７は、処理をエンドに進める。
一方、この判定結果が「ＹＥＳ」の場合（ステップＳ０３：ＹＥＳ）には、制御部３７は、処理をステップＳ０４に進める。
【００５１】
次に、制御部３７は、読書部３１によって取得された指令情報に応じて携帯端末１２の動作を制御する（ステップＳ０４）。そして、制御部３７は、処理をエンドに進める。
【００５２】
以下に、携帯端末１２が位置登録用タグ１１Ａ（１１）に翳された場合における上述したステップＳ０４の処理について説明する。
【００５３】
図５に示すように、携帯端末１２の制御部３７は、位置登録用タグ１１Ａ（１１）から取得した位置登録用の指令情報に携帯端末１２の現在位置情報の取得の指示が有るか否かを判定する（ステップＳ１１）。
この判定結果が「ＮＯ」の場合（ステップＳ１１：ＮＯ）には、制御部３７は、処理をリターンに進める。
一方、この判定結果が「ＹＥＳ」の場合（ステップＳ１１：ＹＥＳ）には、制御部３７は、処理をステップＳ１２に進める。
【００５４】
次に、制御部３７は、現在位置情報取得部３４に現在位置の情報を取得させる（ステップＳ１２）。
次に、制御部３７は、現在位置情報取得部３４によって取得された現在位置の情報を記憶部３８に記憶させる（ステップＳ１３）。
次に、制御部３７は、図６に示すように、タッチパネル３３に所定の位置登録画面３３ｃを表示させる（ステップＳ１４）。位置登録画面３３ｃは、現在位置情報取得部３４によって取得された現在位置の周辺の地図データ５１と、現在位置情報取得部３４によって取得された現在位置を地図データ上で指し示す指示画像５２とを備えている。位置登録画面３３ｃは、現在位置情報取得部３４によって現在位置が取得された時刻を示す時刻画像５３を指示画像５２に隣接して備えている。
【００５５】
次に、制御部３７は、図５に示すように、位置登録用タグ１１Ａ（１１）から取得した位置登録用の指令情報に駐車時間の測定の指示が有るか否かを判定する（ステップＳ１５）。
この判定結果が「ＮＯ」の場合（ステップＳ１５：ＮＯ）には、制御部３７は、処理をステップＳ１７に進める。
一方、この判定結果が「ＹＥＳ」の場合（ステップＳ１５：ＹＥＳ）には、制御部３７は、処理をステップＳ１６に進める。
次に、制御部３７は、タイマー３６に計時を開始させる（ステップＳ１６）。制御部３７は、タイマー３６による計時を、現在位置情報取得部３４によって取得された現在位置に対応付ける。
【００５６】
次に、制御部３７は、位置登録用タグ１１Ａ（１１）から取得した位置登録用の指令情報に携帯端末１２の周辺の撮像の指示が有るか否かを判定する（ステップＳ１７）。
この判定結果が「ＮＯ」の場合（ステップＳ１７：ＮＯ）には、制御部３７は、処理をエンドに進める。
一方、この判定結果が「ＹＥＳ」の場合（ステップＳ１７：ＹＥＳ）には、制御部３７は、処理をステップＳ１８に進める。
【００５７】
次に、制御部３７は、カメラ３５を起動する（ステップＳ１８）。
制御部３７は、図６に示すように、所定の位置登録画面３３ｃを撮像実行画面３３ｄに切り替える。撮像実行画面３３ｄは、カメラ３５の撮像範囲の画像５４、および撮像実行を指示する操作ボタン画像５５を備えている。撮像実行画面３３ｄにおいて操作ボタン画像５５がユーザの手指によって接触操作されると、制御部３７は、所定の撮像実行画面３３ｄを画像登録確認画面３３ｅに切り替える。
画像登録確認画面３３ｅは、カメラ３５によって撮像された撮像画像５６、撮像画像５６の登録を指示する操作ボタン画像５７、および撮像画像５６の破棄を指示する操作ボタン画像５８を備えている。
【００５８】
次に、制御部３７は、図５に示すように、ユーザのカメラ３５に対する操作によって、撮像により得られた撮像画像５６（つまり携帯端末１２の周辺画像）の登録が指示されたか否かを判定する（ステップＳ１９）。
この判定結果が「ＮＯ」の場合（ステップＳ１９：ＮＯ）には、制御部３７は、処理をリターンに進める。
一方、この判定結果が「ＹＥＳ」の場合（ステップＳ１９：ＹＥＳ）には、制御部３７は、処理をステップＳ２０に進める。
次に、制御部３７は、携帯端末１２の周辺画像を、現在位置情報取得部３４によって取得された現在位置に対応付けて記憶部３８に記憶させる（ステップＳ２０）。そして、制御部３７は、処理をリターンに進める。
【００５９】
図６に示すように、画像登録確認画面３３ｅにおいて操作ボタン画像５７がユーザの手指によって接触操作されると、制御部３７は、撮像画像５６を記憶部３８に記憶させる。そして、制御部３７は、カメラ３５の作動を停止させ、画像登録確認画面３３ｅを位置登録画面３３ｃに切り替える。
一方、画像登録確認画面３３ｅにおいて操作ボタン画像５８がユーザの手指によって接触操作されると、制御部３７は、撮像画像５６を破棄する。そして、制御部３７は、カメラ３５の作動を継続させつつ、画像登録確認画面３３ｅを撮像実行画面３３ｄに切り替える。
【００６０】
以下に、携帯端末１２が位置案内用タグ１１Ｂ（１１）に翳された場合における上述したステップＳ０４の処理について説明する。
【００６１】
図７に示すように、携帯端末１２の制御部３７は、位置案内用タグ１１Ｂ（１１）から取得した位置案内用の指令情報にユーザの位置誘導の指示が有るか否かを判定する（ステップＳ３１）。
この判定結果が「ＮＯ」の場合（ステップＳ３１：ＮＯ）には、制御部３７は、処理をリターンに進める。
一方、この判定結果が「ＹＥＳ」の場合（ステップＳ３１：ＹＥＳ）には、制御部３７は、処理をステップＳ３２に進める。
【００６２】
次に、制御部３７は、現在位置情報取得部３４に現在位置の情報を取得させる（ステップＳ３３）。
次に、制御部３７は、記憶部３８に記憶されている携帯端末１２の記憶位置を取得する（ステップＳ３４）。
【００６３】
次に、制御部３７は、スピーカ３２およびタッチパネル３３からの出力などを制御して、携帯端末１２を所持するユーザを、現在位置から記憶位置まで案内する（ステップＳ３４）。
制御部３７は、図８に示すように、タッチパネル３３に所定の位置案内画面３３ｆを表示させる。位置案内画面３３ｆは、現在位置情報取得部３４によって取得された現在位置の周辺の地図データ６１と、記憶部３８に記憶されている携帯端末１２の記憶位置を地図データ上で指し示す指示画像６２とを備えている。位置案内画面３３ｆは、記憶部３８に記憶されている携帯端末１２の記憶位置が過去に現在位置情報取得部３４によって取得された時刻を示す時刻画像６３を指示画像６２に隣接して備えている。
【００６４】
位置案内画面３３ｆは、コンパス画面３３ｇへの切り替えを指示するメニュー項目画像６４を備えている。位置案内画面３３ｆにおいてメニュー項目画像６４がユーザの手指によって接触操作されると、制御部３７は、位置案内画面３３ｆをコンパス画面３３ｇに切り替える。コンパス画面３３ｇは、携帯端末１２の現在位置から見た記憶位置の方角、現在位置から記憶位置までの距離、およびタイマー３６によって計時されている駐車時間を示す画像６５を備える。コンパス画面３３ｇは、画像６５に加えて、現在位置の周辺の地図データ６１または携帯端末１２の記憶位置に対応付けられて記憶部３８に記憶されている撮像画像５６を備える。コンパス画面３３ｇは、地図データ６１と撮像画像５６との表示の切り替えを指示する各メニュー項目を備えている。
【００６５】
次に、制御部３７は、ユーザの操作に応じて位置誘導の終了が指示されたか否かを判定する（ステップＳ３５）。
この判定結果が「ＮＯ」の場合（ステップＳ３５：ＮＯ）には、制御部３７は、処理をステップＳ３４に戻す。
一方、この判定結果が「ＹＥＳ」の場合（ステップＳ３５：ＹＥＳ）には、制御部３７は、処理をリターンに進める。
【００６６】
なお、図９および図１０に示すように、位置登録画面３３ｃおよび位置案内画面３３ｆの各々は、記憶部３８に記憶した現在位置の履歴およびお気に入りに登録された現在位置のリストを表示するメニュー項目画像７１，７２を備えている。
位置登録画面３３ｃまたは位置案内画面３３ｆにおいてメニュー項目画像７１がユーザの手指によって接触操作されると、制御部３７は、図９に示すように、位置登録画面３３ｃまたは位置案内画面３３ｆを履歴表示画面３３ｍに切り替える。履歴表示画面３３ｍは、現在位置の履歴のリスを備える。履歴表示画面３３ｍにおいて現在位置の履歴の各々がユーザの手指によって接触操作されると、制御部３７は、履歴表示画面３３ｍを履歴詳細画面３３ｎに切り替える。履歴詳細画面３３ｎは、現在位置が指示された現在位置の周辺の地図データなどを備える。
【００６７】
位置登録画面３３ｃまたは位置案内画面３３ｆにおいてメニュー項目画像７２がユーザの手指によって接触操作されると、制御部３７は、図１０に示すように、位置登録画面３３ｃまたは位置案内画面３３ｆをお気に入り画面３３ｐに切り替える。お気に入り画面３３ｐは、お気に入りに登録された現在位置のリストを備える。お気に入り画面３３ｐにおいてお気に入りの現在位置の各々がユーザの手指によって接触操作されると、制御部３７は、お気に入り画面３３ｐをお気に入り詳細画面３３ｑに切り替える。お気に入り詳細画面３３ｑは、お気に入りの現在位置が指示された現在位置の周辺の地図データなどを備える。
【００６８】
上述したように、実施形態による位置案内システム１０および位置案内方法によれば、車両に搭載された位置登録用タグ１１Ａ（１１）に携帯端末１２を翳すことによって、携帯端末１２の現在位置つまり車両の駐車位置を自動的に記憶することができる。さらに、ユーザが携帯する位置案内用タグ１１Ｂ（１１）に携帯端末１２を翳すことによって、記憶した車両の駐車位置までの位置誘導を自動的に開始することができる。位置登録用タグ１１Ａ（１１）または位置案内用タグ１１Ｂ（１１）に携帯端末１２を翳すだけの各１つの動作によって、位置登録に係る各種動作および位置誘導に係る各種動作を自動的に実行することができ、ユーザに駐車位置を案内する際の利便性を向上させることができる。
【００６９】
車両に搭載された位置登録用タグ１１Ａ（１１）に携帯端末１２を翳すだけの１つの動作によって、携帯端末１２の周辺の撮像に要する複数の動作（カメラ３５の起動など）を自動的に実行することができ、ユーザに位置を案内する際の利便性を向上させることができる。
車両に搭載された位置登録用タグ１１Ａ（１１）に携帯端末１２を翳すだけの１つの動作によって、タイマー３６の計時を自動的に開始することができ、ユーザが車両から離れた状態であっても駐車時間を確認することができ、利便性を向上させることができる。
【００７０】
位置登録用タグ１１Ａ（１１）が車両のドアライニングなどに貼り付けられることによって、ユーザの車両降車時などにおいて現在位置の情報を記憶する際に、携帯端末１２を位置登録用タグ１１Ａ（１１）に容易に翳すことができる。また、位置案内用タグ１１Ｂ（１１）がユーザの携帯する物品などに貼り付けられることによって、記憶している位置の情報を用いた位置誘導を行なう際に、携帯端末１２を位置案内用タグ１１Ｂ（１１）に容易に翳すことができる。
【００７１】
携帯端末１２の制御部３７は、所定の位置案内用アプリケーションプログラムの実行と、ＮＦＣタグ１１に読書部３１のアンテナ３１ａを翳すことによって、容易に位置登録用タグ１１Ａ（１１）および位置案内用タグ１１Ｂ（１１）を作成することができる。さらに、位置登録用タグ１１Ａ（１１）および位置案内用タグ１１Ｂ（１１）の各々によって、所定の位置案内用アプリケーションプログラムを実行可能な複数の携帯端末１２を同様に制御することができ、利便性を向上させることができる。
【００７２】
以下、上述した実施形態の変形例について説明する。
上述した実施形態において、位置登録用タグ１１Ａ（１１）の指令情報は、現在位置情報の取得、駐車時間の測定、および携帯端末１２の周辺の撮像を指示するとしたが、これに限定されない。
実施形態の変形例において、位置登録用タグ１１Ａ（１１）の指令情報において、駐車時間の測定、および携帯端末１２の周辺の撮像の少なくとも何れかは省略されてもよい。
【００７３】
上述した実施形態において、ＮＦＣタグは、他の近距離無線通信デバイス、例えば、他のＲＦタグなどであってもよい。
【００７４】
上述した実施形態において、携帯端末１２は、タッチパネル３３を備えるとしたが、これに限定されず、タッチパネル３３の代わりに操作スイッチと表示装置とを備えてもよい。
【００７５】
上述した実施形態において、携帯端末１２の制御部３７は、制御部３７が備えるＣＰＵ等のプロセッサが、メモリまたは記憶部３８に格納しているプログラムを実行することで機能するソフトウェア機能部であるとしたが、これに限定されない。
プログラムは、コンピュータ読み取り可能な記録媒体に記録されてもよいし、電気通信回線を介して送信されてもよい。記録媒体は、例えば、フレキシブルディスク、光磁気ディスク、ＲＯＭ、ＣＤ−ＲＯＭ等の可搬媒体、コンピュータシステムに内蔵されるハードディスク等の記憶装置である。
上述した実施形態において、制御部３７の機能の全て又は一部は、ハードウェアによって実現されてもよい。ハードウェアは、例えば、ＬＳＩ（Large Scale Integration）、ＡＳＩＣ（Application Specific Integrated Circuit）、ＰＬＤ（Programmable Logic Device）、またはＦＰＧＡ（Field Programmable Gate Array）等である。
【００７６】
本発明の実施形態は、例として提示したものであり、発明の範囲を限定することは意図していない。これら実施形態は、その他の様々な形態で実施されることが可能であり、発明の要旨を逸脱しない範囲で、種々の省略、置き換え、変更を行うことができる。これら実施形態やその変形は、発明の範囲や要旨に含まれると同様に、特許請求の範囲に記載された発明とその均等の範囲に含まれるものである。
【符号の説明】
【００７７】
１０…位置案内システム、１１…ＮＦＣタグ（近距離無線通信デバイス）、１２…携帯端末、２１…タグ通信部（デバイス通信部）、２１ａ…アンテナ（デバイス通信部）、２２…タグ制御部、２３…タグ記憶部（デバイス記憶部）、３１…読書部（通信部）、３１ａ…アンテナ（通信部）、３２…スピーカ、３３…タッチパネル（誘導部、表示部）、３４…現在位置情報取得部、３５…カメラ（撮像部）、３６…タイマー、３７…制御部（誘導部）、３８…記憶部
【図１】
2016181114.tif 000003
【図２】
2016181114.tif 000004
【図３】
2016181114.tif 000005
【図４】
2016181114.tif 000006
【図５】
2016181114.tif 000007
【図６】
2016181114.tif 000008
【図７】
2016181114.tif 000009
【図８】
2016181114.tif 000010
【図９】
2016181114.tif 000011
【図１０】
2016181114.tif 000012